【手続補正書】
【提出日】平成28年6月30日(2016.6.30)
【手続補正１】
【補正対象書類名】特許請求の範囲
【補正対象項目名】全文
【補正方法】変更
【補正の内容】
【特許請求の範囲】
【請求項１】
植物を栽培するための装置であって、
液体溶液を保持するためのプール、
植物を保持し、且つ前記プールに浮かべるように構成された、複数のトレーであって、前記複数のトレーのそれぞれのトレーは、互いに実質的に同様の構造と寸法を持ち、複数のトレーは複数の列に配され、前記複数のトレーは十分な数であり、それぞれの列には、少なくとも１つのトレーを収容するのに十分な幅の隙間がある、トレー、
それぞれのトレーが、回転中に移動する間にプールにおいて予め定められた位置に到達するように、回転に従ってトレーを移動させるための、前記プールに沿って協働的に配置される移動部材、
を備える、装置。
【請求項２】
前記プールは、プールの長さを画定する対向配置された第１の側面と、プールの幅を画定する対向配置された第２の側面とを備えた、実質的に長方形の形状であり、前記第１の側面と前記第２の側面は互いに隣接している、請求項１に記載の装置。
【請求項３】
前記トレーは、同一であり、液体溶液に浮かべるように構成される、請求項２に記載の装置。
【請求項４】
前記移動部材はピストンを備え、該ピストンは、それぞれの列に、前記第１の側面の１つに沿って置かれた１つのピストンがあるように配され、隣接する列のピストンは、反対側の長手側面上に配置され、少なくとも一対のピストンは、第２の側面に沿って対角線上に配置され、対角線上の配置は、トレーの回転方向に依存する、請求項３に記載の装置。
【請求項５】
前記プールの予め定めた位置に連通している機械式の収穫機を更に備える、請求項１に記載の装置。
【請求項６】
前記プールに連通しているエアリフトポンプを更に備える、請求項１に記載の装置。
【請求項７】
前記プールに保持された栄養液をサンプリングするための、前記プールに連通しているマニホルドを更に備える、請求項１に記載の装置。
【請求項８】
前記マニホルド及び前記プールに連通している制御装置を更に備え、該制御装置は、前記マニホルドを介して得られたサンプルの特性を測定するように、及び、得られたサンプルの測定された特性に応じて前記プールの中で、ｐＨ並びに他のパラメータを含む特性について栄養液を調節するように構成される、請求項７に記載の装置。
【請求項９】
前記プールの中で液体溶液の温度を制御するための、前記プールに連通している温度制御ユニットを更に備える、請求項１に記載の装置。
【請求項１０】
植物を栽培する方法であって、
栄養液のプールにおいて、植物を保持する複数のトレーを配する工程であって、その結果、それぞれのトレーが液体中で浮かび、前記複数のトレーのそれぞれのトレーは、互いに実質的に同様の構造と寸法を持ち、前記複数のトレーは複数の列に配され、前記複数のトレーは十分な数であり、それぞれの列には、少なくとも１つのトレーを収容するのに十分な幅の隙間がある、工程；及び
それぞれのトレーが、回転中に移動する間にプールにおいて予め定められた位置に到達するように、前記回転に従ってトレーを移動させる工程、
を含む、方法。
【請求項１１】
前記液体は栄養液を含む、請求項１０に記載の方法。
【請求項１２】
前記トレーを配する前に、前記トレーにプールを提供する工程、前記トレーが前記栄養液に浮かぶのに十分な深さにまで前記プールを前記栄養液で満たす工程を含み、ここで、浮かんでいるトレーを動かす工程は、前記プールの側面に沿って配されたピストンにより、浮かんでいるトレーを押す工程を含む、請求項１０に記載の方法。
【請求項１３】
前記プールは実質的に長方形の形状である、請求項１１に記載の方法。
【請求項１４】
前記ピストンは、代替的な方法で、前記プールに沿って第１の寸法におけるそれぞれの列のために、及び、前記プールに沿って第２の寸法で互いに対角線上に配される、請求項１３に記載の方法。
【請求項１５】
機械式の収穫機により、前記トレーが前記プールにおいて予め定められた位置に達した時にトレーにある植物を収穫する工程を更に含む、請求項１０に記載の方法。
【請求項１６】
エアリフトポンプを使用して、前記プールの中の前記栄養液を循環させるために、前記プールの中の前記栄養液を吸入する工程を更に含む、請求項１１に記載の方法。
【請求項１７】
前記エアリフトポンプによる吸入は、前記栄養液中の溶存酸素の飽和を少なくとも８０％に維持する、請求項１１に記載の方法。
【請求項１８】
前記栄養液をサンプリングする工程、及び、前記サンプリングに基づいて前記栄養液の特性を制御する工程を更に含む、請求項１１に記載の方法。
【請求項１９】
前記栄養液の温度を制御する工程を更に含む、請求項１１に記載の方法。
【請求項２０】
前記トレーは同一である、請求項１０に記載の方法。
【請求項２１】
調節可能な陰を提供するための装置であって、
（ａ）複数の平行な直線的な支持部材、
（ｂ）それぞれの前記支持部材を実質的に囲む可撓管、及び、
（ｃ）それぞれの前記可撓管を可逆的に膨張させるための膨張機構、
を含む、装置。
【請求項２２】
前記可撓管は不透明である、請求項２１に記載の装置。
【請求項２３】
前記可撓管は透明であり、
前記装置は、
（ｄ）前記膨張機構と動作可能に接続した、前記可撓管の光学特性を改善するための、気体中の粒子のコロイド懸濁液の容器、をさらに含む、請求項２１に記載の装置。
【請求項２４】
前記気体は空気である、請求項２３に記載の装置。
【請求項２５】
（ｄ）それぞれの前記可撓管について、可撓管が膨張していないときに、実質的に直線の垂直方向に可撓管を保持するための重り、をさらに含む、請求項２１に記載の装置。
【請求項２６】
複数の植物を栽培するためのシステムであって、
（ａ）栄養液を支持するための複数の実質的に平行な溝、
（ｂ）植物を支持するために内部に複数の開口部を有する不透明な可撓性を有するシート、および、
（ｃ）前記可撓性を有するシートを、前記溝に平行に、かつ、可撓性を有するシートが複数の溝の少なくとも一部を実質的に覆うように前記溝に対して位置付けられるように、可逆的に広げるためのローラーであって、それぞれの前記開口部はそれぞれの前記溝の上にあり、前記溝に十分に近接するため、それぞれの前記開口部によって支持される植物の根は、前記栄養液に少なくとも部分的に浸される、ローラー、
を含む、システム。
【請求項２７】
前記複数の溝は実質的に剛性のシートの波形である、請求項２６に記載のシステム。
【請求項２８】
前記実質的に剛性のシートはポリマー被覆金属シートである、請求項２７に記載のシステム。
【請求項２９】
（ｄ）前記可撓性を有するシートが前記溝からローラー上に巻かれると、前記開口部によって支持される植物を収穫するための、前記ローラーに隣接して位置付けるのに適した機械式の収穫機をさらに含む、請求項２６に記載のシステム。
【請求項３０】
複数の植物を栽培する方法であって、
（ａ）複数の実質的に平行な溝に栄養液を置く工程、
（ｂ）植物を支持するための複数の開口部を含む可撓性を有する不透明なシートを、溝の少なくとも一部の上に広げる工程であって、その結果、それぞれの前記開口部がそれぞれの前記溝の上にある、工程、および、
（ｃ）前記開口部のそれぞれの１つにそれぞれの植物を挿入する工程であって、その結果、１つの植物がそれぞれの前記開口部によって支持され、前記１つの植物の根が少なくとも部分的に前記栄養液に浸される、工程、
を含む、方法。
【請求項３１】
（ｄ）前記溝に対して実質的に平行な方向に前記溝の上から前記シートを引っ込める工程であって、一方で、前記溝の端部にそれぞれの植物が到達すると、それぞれの前記植物の少なくとも一部を、それぞれの前記開口部から引っ込め、前記それぞれの植物の根は栄養液に少なくとも部分的に浸されている、工程、をさらに含む、請求項３０に記載の方法。